(57)【要約】【課題】            従来の食器洗浄機は洗浄後に、庫内の余熱とヒーターによる暖房によって乾燥を行なうため、多くの時間と電気代を必要とするものとなり、また、食器に付着している水滴をそのまま乾燥させるので水滴跡が残ってしまい、見た目がクリーンとは言えないものとなってしまうという点である。【解決手段】        庫体の底部に、ヒーターを備えた水槽を設け、その水槽からポンプで水を汲み上げノズルから噴射させ、食器を洗浄する食器洗浄機であって、前記したノズルはセットされた食器の下方のみならず上方からの噴射ノズルを備え、かつ、少なくとも上方からの噴射ノズルには隣接してエアの噴射ノズルも併設してあることとする。【選択図】          図１
2018019943.tif 000002
【特許請求の範囲】
【請求項１】
庫体の底部に、ヒーターを備えた水槽を設け、その水槽からポンプで水を汲み上げノズルから噴射させ、食器を洗浄する食器洗浄機であって、前記したノズルはセットされた食器の下方のみならず上方からの噴射ノズルを備え、かつ、少なくとも上方からの噴射ノズルには隣接してエアの噴射ノズルも併設してあることを特徴とする食器洗浄機。
【請求項２】
前記した上方からの水の噴射ノズルとエアの噴射ノズルは１つのホルダーにセッティングされており、そのホルダーは横方向へ可動とする第一のガイドバーが挿通されていることを特徴とする請求項１に記載の食器洗浄機。
【請求項３】
前記した第一のガイドバーの両端部には支持部が設けられ、その支持部には、前記第一のガイドバーと直交して、前記ホルダーを前後方向へ可動とする一対の第二のガイドバーが挿通されていることを特徴とする請求項２に記載の食器洗浄機。
【請求項４】
下方からの水の噴射ノズルは、基本となるターンテーブルを備え、その基本となるターンテーブルの端部に複数のサブターンテーブルを備え、その複数のサブターンテーブルに上方に噴射口を向けて複数個が備えられていることを特徴とする請求項１から３のうち１項に記載の食器洗浄機。
【請求項５】
前記したサブターンテーブルは基本となるターンテーブルの中心を挟んで１８０度ピッチで二つが設けられていることを特徴とする請求項４に記載の食器洗浄機。
【請求項６】
皿や椀をセットし、支持する支持部材は、その間隔を調整するために位置移動可能としてあることを特徴とする請求項１から５のうち１項に記載の食器洗浄機。
【請求項７】
前記した皿や椀をセットし、支持する支持部材の上方に、コップやグラスをセットするための棚部を形成してあることを特徴とする請求項６に記載の食器洗浄機。
【請求項８】
前記した棚部はネットで構成されていることを特徴とする請求項７に記載の食器洗浄機。
【請求項９】
前記したホルダーは複数個が列設されていることを特徴とする請求項１から８のうち１項に記載の食器洗浄機。
【請求項１０】
前記したホルダーは、水平方向に回転可能としてあることを特徴とする請求項１から９のうち１項に記載の食器洗浄機。
【請求項１１】
前記したホルダーの回転は第一ガイドバーとの衝突を避ける切り欠きが第一ガイドバーの挿通孔の開口縁に形成されていることを特徴とする請求項１０に記載の食器洗浄機。
【請求項１２】
前記したエアの噴射は洗浄、乾燥後に食器を取り出す際にも、センサーが感知して再実行することを特徴とする請求項１から１１のうち１項に記載の食器洗浄機。
【発明の詳細な説明】
【技術分野】
【０００１】
本発明は、使用後の食器類を洗浄し、乾燥させるための食器洗浄機に関する。
【背景技術】
【０００２】
従来、食器洗浄機はヒーターを有する水槽を有し、その水槽から、加温された洗浄水をポンプで循環させて洗浄を行なう。水槽へ溜められた水には洗剤も投入され、加熱によってその洗浄の力も有効に発揮させる。この洗浄は、食器がセットされる篭の下方から複数の噴射ノズルによって水を噴射することによってなされる。
【０００３】
また、一般的には、前記した水槽の水を２〜３回交換して濯ぎを行ない、最終的に加熱濯ぎを行ない、その後、排水してファンで送風し、庫内温度に応じてヒーターで温度調節しながら乾燥を行なうようになっている。
【０００４】
しかしながら、この従来の食器洗浄機は、洗浄後の乾燥を庫内の余熱とヒーターによる暖房によって行なうため、非常に多くの時間を要し、そのための電気代も嵩むものとなっており、食器に付着している水滴をそのまま乾燥させるため、水滴跡が残ってしまう。特にこの水滴跡は透明なコップ、グラス、その他の皿や容器で顕著となってしまう。
【先行技術文献】
【特許文献】
【０００５】
出願人は、本願発明について先行する技術文献を調査したが、格別に本願発明と関連し、類似していると思われる文献は発見できなかった。
【発明の概要】
【発明が解決しようとする課題】
【０００６】
本発明が解決しようとする問題点は、従来の食器洗浄機は洗浄後に、庫内の余熱とヒーターによる暖房によって乾燥を行なうため、多くの時間と電気代を必要とするものとなり、また、食器に付着している水滴をそのまま乾燥させるので水滴跡が残ってしまい、見た目がクリーンとは言えないものとなってしまうという点である。
【課題を解決するための手段】
【０００７】
上記した問題点を解決するために、本発明に係る食器洗浄機は、庫体の底部に、ヒーターを備えた水槽を設け、その水槽からポンプで水を汲み上げノズルから噴射させ、食器を洗浄する食器洗浄機であって、前記したノズルはセットされた食器の下方のみならず上方からの噴射ノズルを備え、かつ、少なくとも上方からの噴射ノズルには隣接してエアの噴射ノズルも併設してあることを特徴としている。
【０００８】
また、本願発明に係る食器洗浄機は、前記した上方からの水の噴射ノズルとエアの噴射ノズルは１つのホルダーにセッティングされており、そのホルダーは横方向へ可動とする第一のガイドバーが挿通されていることを特徴とし、前記した第一のガイドバーの両端部には支持部が設けられ、その支持部には、前記第一のガイドバーと直交して、前記ホルダーを前後方向へ可動とする一対の第二のガイドバーが挿通されていることを特徴としている。
【０００９】
さらに、本願発明に係る食器洗浄機は、下方からの水の噴射ノズルは、基本となるターンテーブルを備え、その基本となるターンテーブルの端部に複数のサブターンテーブルを備え、その複数のサブターンテーブルに上方に噴射口を向けて複数個が備えられていることを特徴とし、前記したサブターンテーブルは基本となるターンテーブルの中心を挟んで１８０度ピッチで二つが設けられていることを特徴としている。
【００１０】
そして、本願発明に係る食器洗浄機は、皿や椀をセットし、支持する支持部材は、その間隔を調整するために位置移動可能としてあることを特徴とし、前記した皿や椀をセットし、支持する支持部材の上方に、コップやグラスをセットするための棚部を形成してあることを特徴とし、前記した棚部はネットで構成されていることを特徴としている。
【００１１】
また、本願発明に係る食器洗浄機は、前記したホルダーは複数個が列設されていることを特徴とし、前記したホルダーは、水平方向に回転可能としてあることを特徴とし、前記したホルダーの回転は第一ガイドバーとの衝突を避ける切り欠きが第一ガイドバーの挿通孔の開口縁に形成されていることを特徴とし、前記したエアの噴射は洗浄、乾燥後に食器を取り出す際にも、センサーが感知して再実行することを特徴としている。
【発明の効果】
【００１２】
本発明に係る食器洗浄機は上記のように構成されている。そのため、洗浄水は対象となる食器の上下方向から噴射されて浴せられ、満遍なく行き亘ることとなり、乾燥も余熱やヒーターによる暖房効果に加えて噴射されるエアで食器に付着残存している水滴を吹き飛ばすことができ、水滴跡を残してしまうことがなく、クリーンな仕上がりとすることができる。
【図面の簡単な説明】
【００１３】
【図１】本発明を実施した食器洗浄機の庫内を示す概略正面図である。
【図２】ホルダーと第一のガイドバーを示す正面図である。
【図３】ホルダーと第一及び第二のガイドバーを示す平面図である。
【図４】食器の支持部材を示す平面図で、（Ａ）は初期状態、（Ｂ）は使用状態にスライドさせた状態である。
【図５】第二実施例を示す庫内の概略正面図である。
【図６】第三実施例を示す庫内の概略正面図である。
【発明を実施するための形態】
【００１４】
図面として示し、実施例で説明したように構成したことで実現した。
【実施例１】
【００１５】
次に、本発明の好ましい実施の一例を図面を参照して説明する。図中１は本発明を実施した食器洗浄機の庫体を示している。この庫体１の下方には、従来の食器洗浄機と同様にヒーターを備えた水槽（図示せず）が設けられており、この水槽内の水には洗剤が投与されてポンプ（図示せず）によって汲み上げ循環させる。
【００１６】
図中２は洗浄対象である食器Ｔ、Ｔ‥を並置するための篭を示しており、その篭２の下方に、基本となるターンテーブル３が配置されている。このターンテーブル３の端部には１８０度で一対のサブターンテーブル４、４が設けられており、このターンテーブル３及びサブターンテーブル４、４の上面には洗浄液を上方へ向けて噴射する複数のジェットノズルが設けられている。
【００１７】
一方、前記した篭２の上方には水槽から汲み上げられる洗浄水を下方へ噴射する噴射ノズル５と、その噴射ノズル５と隣接し、庫体１外に設けられたエアコンプレッサーから圧縮エアを下方へ噴射するエアノズル６が備えられている。この噴射ノズル５とエアノズル６は１つのホルダー７にセッティングされた構成となっている。
【００１８】
このホルダー７には第一のガイドバー８が挿通されており、ホルダー７の位置を左右方向に移動可能としている。また、この第一のガイド８の両端には支持部９、９が設けられており、この各支持部９、９には前記した第一のガイドバー８と直交する方向に第二のガイドバー１０、１０が平行に挿通されており、ホルダー７の位置を前後方向にも移動可能としている。
【００１９】
また、前記した篭２の内部上方には、コップやグラスを専用にセットするための棚部１１が設けられており、この棚部１１は洗浄液の跳ね掛かりを防止する為ネットで構成されている。
【００２０】
一方、図中１２、１２‥は篭２内で食器Ｔ、Ｔ‥を立て掛けて位置決め支持するための支持部材を示している。この支持部材１２、１２‥は、本実施例ではブックエンド状のものを想定しており、また、通例針金を屈曲加工してアーチ状として使用しているが、この支持部材１２、１２‥は支持する食器Ｔ、Ｔ‥の大きさに合せて、その位置を移動可能としている。この位置移動は溝を形成して支持部材１２、１２‥をスライドさせることや、あるいは素材の針金の可撓性を利用して、撓ませて手作業で位置を選択し、取り付けることもできる。
【００２１】
本実施例に係る食器洗浄機は上記のように構成されている。洗浄水が上下方向から噴射されて、満遍なく対象となる食器の汚れを洗い落とすとともに、上方からエアを吹き付けるため、ヒーターの余熱や暖房効果による乾燥に加えて、食器の付着している水滴も吹き飛ばすこととなり、水滴跡が残ることなく、クリーンな仕上がりとなる。
【実施例２】
【００２２】
また、図５は本発明の第二実施例を示している。この第二実施例にあって７ａ、７ａ‥はホルダーを示しており、その構成は第一実施例と同様であるが、複数個（実施例では５つ）を列設してある。この第二実施例におけるホルダー７ａ、７ａ‥は略９０度で回転可能とされているもので、この９０度の回転は第一のガイドバー８が挿通されているために、ホルダー７ａ、７ａ‥の第一のガイドバー８の挿通孔の両開口に回転を許容する扇形の切り欠きを設けてある。この９０度の回転によって、洗浄液の噴射ノズル５につながるホースもしくはチューブとエア噴射ノズル６につながるホースもしくはチューブは絡むことがないように設定されている。さらに、このホルダー７ａ、７ａ‥のスライドは第一実施例と同様に可能であり、固定状態とすることも可能である。
【実施例３】
【００２３】
さらに、図６は本発明の第三実施例を示しており、この場合、第二実施例の場合よりも間隔を狭く、より多くのホルダー７ａ、７ａ‥を列設してある。そして、この実施例では洗浄液やエアの圧力を高くして、直線的に勢いよく洗浄液やエアを下方へ噴射させる構成となっている。
【００２４】
そして、前記した第一乃至第三の実施例にあって、庫体１内での洗浄、乾燥工程が終了し、庫体１内から食器Ｔ、Ｔ‥を取り出す際に、赤外線センサを用いて、その光線を食器Ｔ、Ｔ‥で遮断して、エア噴出のみのスイッチをＯＮさせエアを噴出させる構成とすることもできる。
【産業上の利用可能性】
【００２５】
本実施例に係る食器洗浄機は上記のように構成されており、この構成に加えて、洗浄水の噴射やエアの吹き付けを食器がセットされる篭の左右方向から加えることも可能である。
【００２６】
また、上方からの洗浄液噴射については、実施例で示したターンテーブル３やサブターンテーブル４、４の機構を庫体１内の上方に設置することもできる。加えて、エアノズル６には、そのサイドにオートルーバを取り付け、エアの噴出方向を変更させてやること、噴出圧力の調整を行なうことも可能となる。このエアの噴出方向の変更はホルダー７、７ａ、７ｂを揺動させてやることや第一ガイドバー８の軸を中心とした回動でも可能となる。
【符号の説明】
【００２７】
１    庫体
２    篭
３    ターンテーブル
４    サブターンテーブル
５    洗浄液の噴射ノズル
６    エアノズル
７、７ａ、７ｂ  ホルダー
８    第一のガイドバー
９    支持部
１０  第二のガイドバー
１１  棚部
１２  支持部材
Ｔ    食器
【図１】
2018019943.tif 000003
【図２】
2018019943.tif 000004
【図３】
2018019943.tif 000005
【図４】
2018019943.tif 000006
【図５】
2018019943.tif 000007
【図６】
2018019943.tif 000008